(57)【特許請求の範囲】
【請求項１】
枠体に固定された太陽電池パネルと、
前記枠体が取り付けられた主材を備え、前記太陽電池パネルを支持する架台と、を有し、
前記主材に前記枠体が取り付けられる取り付け箇所は、１つの前記太陽電池パネルについて少なくとも４つあって、１つの前記太陽電池パネルに対する前記取り付け箇所の少なくとも１つはリジットな固定とされ、前記取り付け箇所のうちリジットな固定とする箇所以外の箇所はルーズフィットな取り付けとされることを特徴とする太陽電池装置。
【請求項２】
１つの前記太陽電池パネルについて点在させた４つの前記取り付け箇所があって、４つの前記取り付け箇所を角とする矩形のうち対角をなす２箇所が、前記リジットな固定とする箇所であることを特徴とする請求項１に記載の太陽電池装置。
【請求項３】
前記取り付け箇所のうち前記リジットな固定とする箇所以外の箇所に設けられた押さえ板を有し、
前記押さえ板は、前記主材との間に前記枠体の底部を挟みこむ隙間を構成する押さえ部を備えることを特徴とする請求項１または２に記載の太陽電池装置。
【請求項４】
前記押さえ部のうち、前記枠体の底部を押え付ける側の面に形成された突起部と、
前記枠体の底部に形成され、前記突起部が挿入される孔部と、を有し、
前記孔部は、挿入された前記突起部の周囲に隙間を構成することを特徴とする請求項３に記載の太陽電池装置。
【請求項５】
前記押さえ板は、前記枠体の底部を押え付ける部分以外の部分において前記主材に固定され、
前記押さえ板のうち前記主材に固定された部分の近傍において前記主材側に突出させて形成され、前記主材に当接された当接部を有することを特徴とする請求項３または４に記載の太陽電池装置。
【発明の詳細な説明】
【技術分野】
【０００１】
本発明は、太陽電池装置、特に、陸屋根型の太陽電池装置に関する。
【背景技術】
【０００２】
従来、陸屋根型の太陽電池装置は、強風等に耐え得る堅牢性を確保するための技術が提案されている。例えば、特許文献１の技術では、Ｌ字型フレーム材からなり、積雪荷重や地震荷重等に耐える充分な強度を有する架台上に太陽電池パネルを固定し、基礎となる複数のブロックは風荷重に対するカウンターウェイトを備える構成を採用する。特許文献２の技術では、Ｓ字鋼等からなる架台に、外周枠に予め固定されたアングル材を介して太陽電池パネルを固定する構成を採用する。
【先行技術文献】
【特許文献】
【０００３】
【特許文献１】特開平１１−１７７１１４号公報
【特許文献２】特開２００５−９８０５８号公報
【発明の概要】
【発明が解決しようとする課題】
【０００４】
太陽電池パネルは、架台を構成する主材の取り付け孔と、太陽電池パネルの枠体底部の取り付け孔とにボルトを通し、ナット等で強固に（リジット（ｒｉｇｉｄ）に）固定される。陸屋根用の太陽電池装置が設置される屋外は季節や昼夜によって気温が変化するため、太陽電池パネルや架台は、熱による膨張および収縮を繰り返す。このとき、各固定点には、各部材の熱膨張係数の差に起因する熱応力が働くことになる。この熱応力が繰り返し働くことによって、ボルトおよびナット等による固定部分の緩みや、構造の変形および破損等、不具合の発生が問題となる。
【０００５】
本発明は、上記に鑑みてなされたものであって、太陽電池パネルや架台等の要素における応力を緩和させ、固定部分の緩みや構造の変形および破損を低減可能とする太陽電池装置を得ることを目的とする。
【課題を解決するための手段】
【０００６】
上述した課題を解決し、目的を達成するために、本発明は、枠体に固定された太陽電池パネルと、前記枠体が取り付けられた主材を備え、前記太陽電池パネルを支持する架台と、を有し、前記主材に前記枠体が取り付けられる取り付け箇所は、１つの前記太陽電池パネルについて少なくとも４つあって、１つの前記太陽電池パネルに対する前記取り付け箇所の少なくとも１つはリジットな固定とされ、前記取り付け箇所のうちリジットな固定とする箇所以外の箇所はルーズフィットな取り付けとされることを特徴とする。
【発明の効果】
【０００７】
本発明によれば、太陽電池パネルや架台等の要素における応力を緩和させ、長期において、固定部分の緩みや構造の変形および破損を低減できるという効果を奏する。
【図面の簡単な説明】
【０００８】
【図１】図１は、本発明の実施の形態にかかる太陽電池装置のうち、太陽電池パネルおよび枠体の上面図である。
【図２】図２は、図１に示す太陽電池パネルおよび枠体を、太陽電池パネルがなす矩形形状の短辺側から見た側面図である。
【図３】図３は、太陽電池装置を構成する架台の側面図である。
【図４】図４は、架台の上面図である。
【図５】図５は、架台に太陽電池パネルおよび枠体が取り付けられた太陽電池装置の側面図である。
【図６】図６は、図５に示す構成のＡＡ断面図である。
【図７】図７は、押さえ板が設けられた取り付け箇所の横断面図である。
【図８】図８は、図７に示す押さえ板の下面図である。
【図９】図９は、押さえ板が設けられた取り付け箇所の変形例を示す横断面図である。
【図１０】図１０は、図９に示す押さえ板の下面図である。
【発明を実施するための形態】
【０００９】
以下に、本発明にかかる太陽電池装置の実施の形態を図面に基づいて詳細に説明する。なお、この実施の形態によりこの発明が限定されるものではない。
【００１０】
実施の形態．
図１は、本発明の実施の形態にかかる太陽電池装置のうち、太陽電池パネルおよび枠体の上面図である。図２は、図１に示す太陽電池パネルおよび枠体を、太陽電池パネルがなす矩形形状の短辺側から見た側面図である。太陽電池パネル１は、枠体を構成する長辺枠２および短辺枠３と一体に固定されている。長辺枠２は、太陽電池パネル１の矩形形状の長辺に沿って設けられている。短辺枠３は、太陽電池パネル１の矩形形状の短辺に沿って設けられている。長辺枠２の両端部は、それぞれ短辺枠３に固定されている。
【００１１】
図３は、太陽電池装置を構成する架台の側面図である。図４は、架台の上面図である。架台は、太陽電池パネル１を支持する。架台は、主材４、前柱材５、後柱材６、ベース材７、連結板８、斜め材９および基礎１０を備える。主材４は、架台のうち太陽光の入射側に位置し、太陽電池パネル１の枠体が取り付けられる。
【００１２】
前柱材５は、一方の端部が主材４の側面に当接して固定されている。前柱材５のうち主材４に固定された部分より下側の部分は、ベース材７に固定されている。前柱材５に相対する位置の後柱材６は、一方の端部が主材４の側面に当接して固定されている。後柱材６のうち主材４側とは反対の端部は、ベース材７に固定されている。主材４を傾斜させるべく、後柱材６は、前柱材５より長く構成されている。
【００１３】
斜め材９は、後柱材６に対して斜めに設けられている。斜め材９は、一方の端部が主材４の側面に当接して固定されている。斜め材９のうち主材４側とは反対の端部は、連結板８に固定されている。連結板８は、後柱材６と斜め材９とを連結して三角部を構成し、架台の前後方向における強度を補強している。
【００１４】
ベース材７の底部は、アンカーボルト等によって基礎１０に固定されている。基礎１０は、陸屋根の平面部ＧＬに固定されている。主材４は、陸屋根の平面部ＧＬに対して傾けられて配置されている。
【００１５】
図５は、架台に太陽電池パネルおよび枠体が取り付けられた太陽電池装置の側面図である。図６は、図５に示す構成のＡＡ断面図である。各太陽電池パネル１は、２本の主材４に取り付けられている。１つの太陽電池パネル１について、主材４に枠体が取り付けられる取り付け箇所は４つとされている。１つの太陽電池パネル１についての４つの取り付け箇所は、いずれも長辺枠２と主材４とが交差する位置であって、互いに点在させて配置されている。
【００１６】
押さえ板１１は、１つの太陽電池パネル１に対して、４つの取り付け箇所を角とする矩形のうち対角をなす２箇所に設けられている。４つの取り付け箇所のうち、押さえ板１１が設けられた以外の２箇所は、固定用ボルトナット１２等によって、長辺枠２の底部と主材４とが固定されている。
【００１７】
４つの取り付け箇所のうち、押さえ板１１が設けられた以外の箇所であって矩形の対角をなす２箇所は、リジットな固定とする箇所とされている。また、４つの取り付け箇所のうち、押さえ板１１が設けられた２箇所は、ルーズフィットな取り付けの箇所とされている。ルーズフィットな取り付けとは、取り付け箇所を構成する各部同士が、屋外の温度変化に起因する熱応力を緩和可能な程度の自由度で相対移動し得る取り付け状態をいうものとする。また、リジットな固定とは、取り付け箇所を構成する各部同士が、屋外の温度変化に起因する熱応力では相対移動し得ない程度の強固な固定状態をいうものとする。
【００１８】
図７は、押さえ板が設けられた取り付け箇所の横断面図である。図８は、図７に示す押さえ板の下面図である。固定用ボルト１２ａは、押さえ板１１および主材４を貫通させて取り付けられている。ワッシャーやスプリングナットを挟み込んで固定用ナット１２ｂに固定用ボルト１２ａが締め込まれ、主材４に押さえ板１１が固定されている。
【００１９】
押さえ板１１は、ダブルクランチ形状をなしている。押さえ板１１を主材４に固定したときに、押さえ板１１の押さえ部１１ａは、主材４との間に、長辺枠２の底部２ａを挟みこむための隙間を構成する。長辺枠２の底部２ａは、押さえ部１１ａによって主材４に押さえ付けられている。押さえ板１１が設けられた取り付け箇所では、底部２ａは、主材４に完全には固定されておらず、押さえ部１１ａにより押さえ付けられるのみのルーズフィットな取り付けとされている。
【００２０】
押さえ板１１のうち固定用ボルト１２ａを貫通させる貫通孔１１ｄは、押さえ部１１ａ以外の部分に設けられている。押さえ板１１は、押さえ部１１ａ以外の部分において、固定用ボルト１２ａおよび固定用ナット１２ｂを用いて主材４に固定されている。当接部１１ｂは、押さえ板１１のうち主材４に固定された部分の近傍において主材４側に突出させて形成されている。
【００２１】
当接部１１ｂは、主材４の長手方向に垂直な方向である幅方向（図７の紙面に垂直な方向）において主材４を跨ぐように、押さえ板１１の両端に形成されている。当接部１１ｂは、主材４の上面において主材４を挟み込み、いずれも主材４に当接している。当接部１１ｂは、固定用ボルト１２ａおよび固定用ナット１２ｂにより主材４に押さえ板１１を固定する際における、押さえ板１１の回り止めの機能を有している。
【００２２】
図９は、押さえ板が設けられた取り付け箇所の変形例を示す横断面図である。図１０は、図９に示す押さえ板の下面図である。突起部１１ｃは、押さえ部１１ａのうち底部２ａを押え付ける側の面に形成され、円柱形状をなしている。底部２ａおよび主材４には、突起部１１ｃが挿入される孔部が形成されている。
【００２３】
底部２ａおよび主材４の孔部は、挿入された突起部１１ｃの周囲に隙間を構成するように、突起部１１ｃの断面より大きく形成されている。これにより、枠体の伸縮に対して裕度を確保することが可能となる。なお、押さえ板１１は、当接部１１ｂおよび突起部１１ｃの双方を有しても良く、いずれも設けないこととしても良い。
【００２４】
日中、太陽電池パネル１は、太陽光が入射することにより発電すると同時に、太陽光の熱等によって温度が上昇する。太陽電池パネル１と同様にして、枠体も温度が上昇する。夜間は、太陽電池パネル１および枠体は、放熱によって温度が下がる。温度は、昼夜の他にも、季節や天候によっても変化する。
【００２５】
従来、陸屋根型の太陽電池装置は、主材４に太陽電池パネル１の枠体を４点以上リジットに取り付け固定されるものが一般的とされる。枠体は、耐候性や耐食性に優れるアルミニウム合金が多く採用されている。太陽電池パネル１は、強化ガラスに複数の太陽電池セルが連結され、樹脂材（ＥＶＡ）および裏面シート（樹脂系シート）によりラミネートされている。架台の多くは、概ねＬ型、コ型の鋼材で構成されている。
【００２６】
このように、太陽電池装置は、各種の材料からなる部材を組み合わせて構成されている。太陽電池パネル１や架台は、それぞれの熱膨張係数に応じて、熱膨張および収縮を繰り返す。熱膨張係数の差による寸法差が生じると、各固定点には熱応力が働くこととなる。この熱応力が繰り返し働くことによって、ボルトおよびナット等による固定部分の緩みや、構造の変形および破損等、不具合の発生が問題となる。
【００２７】
本実施の形態では、１つの太陽電池パネル１における４つの取り付け箇所のうち、対角に位置する２箇所をリジットな取り付けとし、それ以外の２箇所をルーズフィットな取り付けとする。太陽電池パネル１の横方向および縦方向における寸法変化に対しては、ルーズフィットな取り付けを構成する各部同士の相対的な往復移動によって、熱応力を大幅に低減させる。
【００２８】
１つの太陽電池パネル１における４つの取り付け箇所のうちリジットな取り付け箇所は１つとし、ルーズフィットな取り付け箇所を３つとしても良い。この場合も、太陽電池パネル１の横方向および縦方向における寸法変化に対して、ルーズフィットな取り付けを構成する各部同士の相対移動によって、熱応力を大幅に低減させることができる。これにより、太陽電池パネル１や架台等の要素における応力を緩和させ、長期において、固定部分の緩みや構造の変形および破損を低減させることが可能となる。
【００２９】
本実施の形態は、１つの太陽電池パネル１について５つ以上の取り付け箇所がある構成に応用しても良い。１つの太陽電池パネル１について少なくとも４つある取り付け箇所のうち、少なくとも１つはリジットな固定とし、それ以外の箇所はルーズフィットな取り付けとすることで、熱応力を低減させる効果を得ることができる。
【００３０】
リジットな取り付け箇所は固定用ボルトナット１２による固定とし、ルーズフィットな取り付け箇所は押さえ部１１ａによって底部２ａを主材４に押え付ける構成とすることで、枠体は縦方向および横方向で自由に伸縮が可能となり、更なる熱応力の低減が可能となる。
【００３１】
押さえ部１１ａに形成された突起部１１ｃと、突起部１１ｃが挿入された周囲に隙間を構成する孔部を設けることで、架台に対する太陽電池パネル１の位置決めが容易になるとともに、孔部内にて突起部１１ｃを移動可能とすることで、熱応力を逃がす構成を実現できる。
【００３２】
押さえ板１１の固定部分の近傍において当接部１１ｂを主材４に当接させることで、押さえ板１１を主材４に固定する際における押さえ板１１の回り止めが可能となる。
【産業上の利用可能性】
【００３３】
以上のように、本発明にかかる太陽電池装置は、陸屋根型の太陽電池装置として有用である。
【符号の説明】
【００３４】
１  太陽電池パネル
２  長辺枠
２ａ  底部
３  短辺枠
４  主材
５  前柱材
６  後柱材
７  ベース材
８  連結板
９  斜め材
１０  基礎
１１  押さえ板
１１ａ  押さえ部
１１ｂ  当接部
１１ｃ  突起部
１１ｄ  貫通孔
１２  固定用ボルトナット
１２ａ  固定用ボルト
１２ｂ  固定用ナット
【図１】
0005441804.tif 000002
【図２】
0005441804.tif 000003
【図３】
0005441804.tif 000004
【図４】
0005441804.tif 000005
【図５】
0005441804.tif 000006
【図６】
0005441804.tif 000007
【図７】
0005441804.tif 000008
【図８】
0005441804.tif 000009
【図９】
0005441804.tif 000010
【図１０】
0005441804.tif 000011